(57)【要約】【課題】携帯端末装置の移動に応じてゲーム、ドラマ等で使用される一連の楽曲、効果音を携帯端末装置で随時出力可能にする。【解決手段】ＧＰＳ機能を具備した携帯端末装置１０のユーザは予め、場所ごとにゲーム又はドラマ等で使用される一連の音データを対応付けた特定コンテンツ用音データベースをサーバ装置３から携帯端末装置１０にダウンロードして保存しておく。携帯端末装置１０はＧＰＳ機能を利用して検出した自位置の位置情報をサーバ装置３へ送信する。サーバ装置３は受信した位置情報に対応する場所を、記憶している場所データベース６から検索し、ヒットした場所を携帯端末装置１０へ送信する。携帯端末装置１０は受信した場所に対応付けられた音データを特定コンテンツ用音データベースから検索し、ヒットした音データの再生処理を行ってコンテンツで使用される音（楽曲、効果音など）を出力する。【選択図】図１
2007251575.tif 000002
【特許請求の範囲】
【請求項１】
携帯端末装置と通信可能なサーバ装置が、
位置情報に対応する場所を規定した場所データベースを予め記憶し、
前記携帯端末装置の位置に係る位置情報を受信した場合、該位置情報に対応する場所を前記場所データベースから検索し、
検索で該当した場所を前記携帯端末装置へ送信し、
前記携帯端末装置は、
場所ごとに音データを対応付けた音データベースを記憶しており、
前記サーバ装置から送信された場所を受信した場合、該場所に対応付けられた音データを前記音データベースから検索し、
検索で該当した音データを再生して音を出力することを特徴とする音出力方法。
【請求項２】
前記音データベースには、前記携帯端末装置とは別の携帯式の端末装置に対して、場所ごとに対応付けた音データが登録してあり、
前記サーバ装置は、
前記端末装置の位置に係る位置情報を受信した場合、該位置情報に対応する場所を前記場所データベースから検索し、
検索で該当した場所を前記携帯端末装置へ送信する請求項１に記載の音出力方法。
【請求項３】
携帯端末装置と通信可能なサーバ装置が、
位置情報に対応する場所を規定した場所データベースを予め記憶し、
前記携帯端末装置とは別の携帯式の端末装置の位置に係る位置情報を受信した場合、該位置情報に対応する場所を前記場所データベースから検索し、
検索で該当した場所を前記携帯端末装置へ送信し、
前記携帯端末装置は、
場所ごとに音データを対応付けた音データベースを記憶しており、
前記サーバ装置から送信された場所を受信した場合、該場所に対応付けられた音データを前記音データベースから検索し、
検索で該当した音データを再生して音を出力することを特徴とする音出力方法。
【請求項４】
前記携帯端末装置は、
記憶する前記音データベースをデータベースサーバ装置から取得しており、
前記音データベースを取得する場合、前記データベースサーバ装置へ音データを対応付ける場所を送信し、
前記データベースサーバ装置は、
受信した場所に基づいて前記音データベースを更新し、
更新した音データベースを前記携帯端末装置へ送信する請求項１乃至請求項３のいずれか１つに記載の音出力方法。
【請求項５】
前記携帯端末装置は、
位置情報及び場所を対応させた対応情報を前記サーバ装置へ送信し、
前記サーバ装置は、
受信した対応情報を前記場所データベースに登録する請求項１乃至請求項４のいずれか１つに記載の音出力方法。
【請求項６】
前記音データベースには、前記携帯端末装置から該携帯端末装置とは別の携帯式の端末装置までの距離に対応付けた音データが登録してあり、
前記サーバ装置は、
前記携帯端末装置に位置に係る位置情報及び前記端末装置の位置に係る位置情報を受信した場合、両方の位置情報に基づいて前記携帯端末装置から前記端末装置までの距離を特定し、
特定した距離を前記携帯端末装置へ送信し、
前記携帯端末装置は、
前記サーバ装置から送信された距離を受信した場合、該距離に対応付けられた音データを前記音データベースから検索する請求項１乃至請求項５のいずれか１つに記載の音出力方法。
【請求項７】
携帯端末装置と通信可能なサーバ装置が、
前記携帯端末装置の位置に係る位置情報及び該携帯端末装置とは別の携帯式の端末装置の位置に係る位置情報を受信した場合、両方の位置情報に基づいて前記携帯端末装置から前記端末装置までの距離を特定し、
特定した距離を前記携帯端末装置へ送信し、
前記携帯端末装置は、
距離に音データを対応付けた音データベースを記憶しており、
前記サーバ装置から送信された距離を受信した場合、該距離に対応付けられた音データを前記音データベースから検索し、
検索で該当した音データを再生して音を出力することを特徴とする音出力方法。
【請求項８】
前記音データベースには、日ごとに対応付けられた音データが登録してあり、
前記携帯端末装置は、
日を検出し、
検出した日に対応付けられた音データを前記音データベースから検索し、
検索で該当した音を出力する請求項１乃至請求項７のいずれか１つに記載の音出力方法。
【請求項９】
前記サーバ装置は、
場所ごとに音データを対応付けたサーバデータベースを予め記憶し、
前記携帯端末装置とは別の携帯式の端末装置の位置に係る位置情報を受信した場合、該位置情報に対応する場所を前記場所データベースから検索し、
検索で該当した場所に対応付けられた音データを前記サーバデータベースから検索し、
検索で該当した音データを前記携帯端末装置へ送信し、
前記携帯端末装置は、
音データを受信した場合、受信した音データを再生して音を出力する請求項１乃至請求項８のいずれか１つに記載の音出力方法。
【請求項１０】
携帯端末装置と通信可能なサーバ装置が、
位置情報に対応する場所を規定した場所データベース及び場所ごとに音データを対応付けたサーバデータベースを予め記憶し、
前記携帯端末装置とは別の携帯式の端末装置の位置に係る位置情報を受信した場合、該位置情報に対応する場所を前記場所データベースから検索し、
検索で該当した場所に対応付けられた音データを前記サーバデータベースから検索し、
検索で該当した音データを前記携帯端末装置へ送信し、
前記携帯端末装置は、
音データを受信した場合、受信した音データを再生して音を出力することを特徴とする音出力方法。
【請求項１１】
前記携帯端末装置は、
自位置に係る位置情報を検出し、
検出した位置情報を前記サーバ装置へ送信する請求項１乃至請求項１０のいずれか１つに記載の音出力方法。
【請求項１２】
前記端末装置は、
自位置に係る位置情報を検出し、
検出した位置情報を前記サーバ装置へ送信する請求項２乃至請求項１１のいずれか１つに記載の音出力方法。
【請求項１３】
場所ごとに音データを対応付けた音データベースを記憶する携帯端末装置が、該音データベースに登録された音データを再生して音を出力する音出力方法であって、
前記携帯端末装置は、
外部から場所を受信した場合、該場所に対応付けられた音データを前記音データベースから検索し、
検索で該当した音データを再生して音を出力することを特徴とする音出力方法。
【請求項１４】
場所ごとに音データを対応付けた音データベースを記憶する携帯端末装置が、該音データベースに登録された音データを再生して音を出力する音出力方法であって、
前記携帯端末装置は、
自位置に係る位置情報を検出し、
検出した位置情報を送信し、
前記位置情報の送信に応じて場所を受信した場合、該場所に対応付けられた音データを前記音データベースから検索し、
検索で該当した音データを再生して音を出力することを特徴とする音出力方法。
【請求項１５】
位置情報に対応する場所を規定した場所データベース及び場所ごとに音データを対応付けたサーバデータベースを記憶するサーバ装置が、該サーバデータベースに登録された音データを送信する音データ送信方法であって、
前記サーバ装置が、
外部から位置情報を受信した場合、該位置情報に対応する場所を前記場所データベースから検索し、
検索で該当した場所に対応付けられた音データを前記データベースから検索し、
検索で該当した音データを送信することを特徴とする音データ送信方法。
【請求項１６】
サーバ装置と通信可能な携帯端末装置が音を出力する音出力システムにおいて、
前記サーバ装置は、
位置情報に対応する場所を規定した場所データベースと、
前記携帯端末装置の位置に係る位置情報を受信した場合、該位置情報に対応する場所を前記場所データベースから検索する手段と、
検索で該当した場所を前記携帯端末装置へ送信する手段とを備え、
前記携帯端末装置は、
場所ごとに音データを対応付けた音データベースと、
前記サーバ装置から送信された場所を受信した場合、該場所に対応付けられた音データを前記音データベースから検索する手段と、
検索で該当した音データを再生して音を出力する手段とを備えることを特徴とする音出力システム。
【請求項１７】
サーバ装置と通信可能な携帯端末装置が音を出力する音出力システムにおいて、
前記サーバ装置は、
位置情報に対応する場所を規定した場所データベースと、
前記携帯端末装置とは別の携帯式の端末装置の位置に係る位置情報を受信した場合、該位置情報に対応する場所を前記場所データベースから検索する手段と、
検索で該当した場所を前記携帯端末装置へ送信する手段とを備え、
該携帯端末装置は、
場所ごとに音データを対応付けた音データベースと、
前記サーバ装置から送信された場所を受信した場合、該場所に対応付けられた音データを前記音データベースから検索する手段と、
検索で該当した音データを再生して音を出力する手段とを備えることを特徴とする音出力システム。
【請求項１８】
サーバ装置と通信可能な携帯端末装置が音を出力する音出力システムにおいて、
前記サーバ装置は、
前記携帯端末装置の位置に係る位置情報及び該携帯端末装置とは別の携帯式の端末装置の位置に係る位置情報を受信した場合、両方の位置情報に基づいて前記携帯端末装置から前記端末装置までの距離を特定する手段と、
特定した距離を前記携帯端末装置へ送信する手段とを備え、
前記携帯端末装置は、
距離に音データを対応付けた音データベースと、
前記サーバ装置から送信された距離を受信した場合、該距離に対応付けられた音データを前記音データベースから検索する手段と、
検索で該当した音データを再生して音を出力する手段とを備えることを特徴とする音出力システム。
【請求項１９】
サーバ装置と通信可能な携帯端末装置が音を出力する音出力システムにおいて、
前記サーバ装置は、
位置情報に対応する場所を規定した場所データベースと、
場所ごとに音データを対応付けたサーバデータベースと、
前記携帯端末装置とは別の携帯式の端末装置の位置に係る位置情報を受信した場合、該位置情報に対応する場所を前記場所データベースから検索する手段と、
検索で該当した場所に対応付けられた音データを前記サーバデータベースから検索する手段と、
検索で該当した音データを前記携帯端末装置へ送信する手段とを備え、
前記携帯端末装置は、
前記サーバ装置から送信された音データを受信した場合、受信した音データを再生して音を出力する手段を備えることを特徴とする音出力システム。
【請求項２０】
場所ごとに音データを対応付けた音データベースと、
外部から場所を受信した場合、該場所に対応付けられた音データを前記音データベースから検索する手段と、
検索で該当した音データを再生して音を出力する手段とを備えることを特徴とする携帯端末装置。
【請求項２１】
場所ごとに音データを対応付けた音データベースと、
自位置に係る位置情報を検出する手段と、
検出した位置情報を送信する手段と、
前記位置情報の送信に応じて場所を受信した場合、該場所に対応付けられた音データを前記音データベースから検索する手段と、
検索で該当した音データを再生して音を出力する手段とを備えることを特徴とする携帯端末装置。
【請求項２２】
位置情報に対応する場所を規定した場所データベースと、
場所ごとに音データを対応付けたサーバデータベースと、
外部から位置情報を受信した場合、該位置情報に対応する場所を前記場所データベースから検索する手段と、
検索で該当した場所に対応付けられた音データを前記データベースから検索する手段と、
検索で該当した音データを送信する手段とを備えることを特徴とするサーバ装置。
【請求項２３】
場所ごとに音データを対応付けた音データベースを記憶する記憶手段と、通信手段と、音出力手段とを有するコンピュータに、音を出力させるためのコンピュータプログラムであって、
コンピュータを、
前記通信手段で場所を受信した場合、該場所に対応付けられた音データを前記音データベースから検索する手段と、
検索で該当した音データを前記音出力手段で再生して音を出力させる処理を行う手段として機能させることを特徴とするコンピュータプログラム。
【請求項２４】
場所ごとに音データを対応付けた音データベースを記憶する記憶手段と、通信手段と、自位置に係る位置情報を検出する位置検出手段と、音出力手段とを有するコンピュータに、音を出力させるためのコンピュータプログラムであって、
コンピュータを、
前記位置検出手段が検出した位置情報を前記通信手段で送信する処理を行わせる手段と、
前記位置情報の送信に応じて前記通信手段で場所を受信した場合、該場所に対応付けられた音データを前記音データベースから検索する手段と、
検索で該当した音データを前記音出力手段で再生して音を出力させる処理を行う手段として機能させることを特徴とするコンピュータプログラム。
【請求項２５】
位置情報に対応する場所を規定した場所データベース及び場所ごとに音データを対応付けたサーバデータベースを記憶する記憶手段と、通信手段とを有するコンピュータに、音データを外部へ送信させるためのコンピュータプログラムであって、
コンピュータを、
前記通信手段で位置情報を受信した場合、該位置情報に対応する場所を前記場所データベースから検索する手段と、
検索で該当した場所に対応付けられた音データを前記データベースから検索する手段と、
検索で該当した音データを、前記通信手段で送信する処理を行わせる手段として機能させることを特徴とするコンピュータプログラム。
【発明の詳細な説明】
【技術分野】
【０００１】
本発明は、ユーザが位置する場所、又はユーザに設定された他人が位置する場所などに応じて、特定のコンテンツが有するストーリ性に沿った楽曲音、効果音などが、ユーザの携帯端末装置から出力されるようにした音出力方法、音データ送信方法、音出力システム、携帯端末装置、サーバ装置、及びコンピュータプログラムに関する。
【背景技術】
【０００２】
従来、携帯電話機のような携帯端末装置は、着信時又はメール受信時などにユーザの気に入った音（楽曲音・効果音等）を出力することで、着信又はメール受信などをユーザへ通知することを可能にしている。このようにユーザの気に入った音を出力するには、出力音用の音データをユーザの携帯端末装置へ予めダウンロードしておく必要がある。
【０００３】
一方、音の出力とは別に、携帯端末装置の位置を検出する方式が多数存在している。例えば、ＧＰＳ（Global Positioning System）の通信衛星からの電波を受信する機能を携帯端末装置に付加し、受信した電波に基づき緯度経度等の位置情報を携帯端末装置で求める方式、携帯端末装置が通信に用いる中継基地局などを利用して携帯端末装置の位置を求める方式などがある。
【０００４】
また、上述した着信時又はメール受信時の音出力に関する内容と、携帯端末装置の位置検出に関する内容とを組み合わせた処理が提案されている。例えば、特許文献１では、ＧＰＳに基づき検出した携帯端末装置の位置に応じて着信音量を変更する内容が開示されている。また、特許文献２では、中継基地局を利用して求めた携帯端末装置の位置に応じて着信音量を変更する内容が開示されている。
【特許文献１】特開２００３−１５２８２３号公報
【特許文献２】特開平１０−３２２７７６号公報
【発明の開示】
【発明が解決しようとする課題】
【０００５】
従来における音出力の内容と位置検出の内容とを組み合わせた処理については、携帯端末装置の位置に応じて着信音量を調整することが主になっている。そのため、着信時又はメール受信時の出力音（着信音）とは無関係に、携帯端末装置が特定の場所に位置するときに特定の音をＢＧＭ（バックグラウンド・ミュージック）的に出力するようなものは存在しなかった。さらに、ユーザの携帯端末装置の位置だけでなく、ユーザの友人、家族と云ったユーザとは別の人が有する端末装置の位置、ユーザの携帯端末装置から別の人の端末装置までの距離に応じて、ユーザの携帯端末装置で特定の音をＢＧＭ的に出力するようなものも存在しなかった。
【０００６】
さらにまた、ユーザの携帯端末装置が特定の場所に位置するときに出力する音が、何らかの関連性を有すると、娯楽性を増すことが想像される。例えば、実際のドラマ及びゲーム等で使用される楽曲及び効果音などを携帯端末装置で出力する場合、それらの楽曲及び効果音などが実際のドラマ及びゲーム等のコンテンツでＢＧＭとして流れる場面と同等の場所で出力すると、携帯端末装置のユーザがドラマの登場人物、又はゲームに登場するキャラクタになったかのような感覚を楽しめることが想定される。
【０００７】
本発明は、斯かる事情に鑑みてなされたものであり、携帯端末装置を有するユーザが移動する場所ごとに、特定の関連性のある音を出力してユーザへ新たな楽しさを提供可能にした音出力方法、音データ送信方法、音出力システム、携帯端末装置、サーバ装置、及びコンピュータプログラムを提供することを目的とする。
また、本発明は、ユーザとは別の人が有する端末装置の位置、又はユーザの携帯端末装置からの別の人が有する端末装置までの距離に応じてユーザの携帯端末装置で音を出力できるようにした音出力方法、音データ送信方法、音出力システム、携帯端末装置、サーバ装置、及びコンピュータプログラムを提供することを目的とする。
【課題を解決するための手段】
【０００８】
上記課題を解決するために本発明に係る音出力方法は、携帯端末装置と通信可能なサーバ装置が、位置情報に対応する場所を規定した場所データベースを予め記憶し、前記携帯端末装置の位置に係る位置情報を受信した場合、該位置情報に対応する場所を前記場所データベースから検索し、検索で該当した場所を前記携帯端末装置へ送信し、前記携帯端末装置は、場所ごとに音データを対応付けた音データベースを記憶しており、前記サーバ装置から送信された場所を受信した場合、該場所に対応付けられた音データを前記音データベースから検索し、検索で該当した音データを再生して音を出力することを特徴とする。
【０００９】
また、本発明に係る音出力方法は、前記音データベースには、前記携帯端末装置とは別の携帯式の端末装置に対して、場所ごとに対応付けた音データが登録してあり、前記サーバ装置は、前記端末装置の位置に係る位置情報を受信した場合、該位置情報に対応する場所を前記場所データベースから検索し、検索で該当した場所を前記携帯端末装置へ送信することを特徴とする。
さらに、本発明に係る音出力方法は、携帯端末装置と通信可能なサーバ装置が、位置情報に対応する場所を規定した場所データベースを予め記憶し、前記携帯端末装置とは別の携帯式の端末装置の位置に係る位置情報を受信した場合、該位置情報に対応する場所を前記場所データベースから検索し、検索で該当した場所を前記携帯端末装置へ送信し、前記携帯端末装置は、場所ごとに音データを対応付けた音データベースを記憶しており、前記サーバ装置から送信された場所を受信した場合、該場所に対応付けられた音データを前記音データベースから検索し、検索で該当した音データを再生して音を出力することを特徴とする。
【００１０】
また、本発明に係る音出力方法は、前記携帯端末装置は、記憶する前記音データベースをデータベースサーバ装置から取得しており、前記音データベースを取得する場合、前記データベースサーバ装置へ音データを対応付ける場所を送信し、前記データベースサーバ装置は、受信した場所に基づいて前記音データベースを更新し、更新した音データベースを前記携帯端末装置へ送信することを特徴とする。
さらに、本発明に係る音出力方法は、前記携帯端末装置は、位置情報及び場所を対応させた対応情報を前記サーバ装置へ送信し、前記サーバ装置は、受信した対応情報を前記場所データベースに登録することを特徴とする。
【００１１】
本発明に係る音出力方法は、前記音データベースには、前記携帯端末装置から該携帯端末装置とは別の携帯式の端末装置までの距離に対応付けた音データが登録してあり、前記サーバ装置は、前記携帯端末装置に位置に係る位置情報及び前記端末装置の位置に係る位置情報を受信した場合、両方の位置情報に基づいて前記携帯端末装置から前記端末装置までの距離を特定し、特定した距離を前記携帯端末装置へ送信し、前記携帯端末装置は、前記サーバ装置から送信された距離を受信した場合、該距離に対応付けられた音データを前記音データベースから検索することを特徴とする。
また、本発明に係る音出力方法は、携帯端末装置と通信可能なサーバ装置が、前記携帯端末装置の位置に係る位置情報及び該携帯端末装置とは別の携帯式の端末装置の位置に係る位置情報を受信した場合、両方の位置情報に基づいて前記携帯端末装置から前記端末装置までの距離を特定し、特定した距離を前記携帯端末装置へ送信し、前記携帯端末装置は、距離に音データを対応付けた音データベースを記憶しており、前記サーバ装置から送信された距離を受信した場合、該距離に対応付けられた音データを前記音データベースから検索し、検索で該当した音データを再生して音を出力することを特徴とする。
【００１２】
さらに、本発明に係る音出力方法は、前記音データベースには、日ごとに対応付けられた音データが登録してあり、前記携帯端末装置は、日を検出し、検出した日に対応付けられた音データを前記音データベースから検索し、検索で該当した音を出力することを特徴とする。
【００１３】
また、本発明に係る音出力方法は、前記サーバ装置は、場所ごとに音データを対応付けたサーバデータベースを予め記憶し、前記携帯端末装置とは別の携帯式の端末装置の位置に係る位置情報を受信した場合、該位置情報に対応する場所を前記場所データベースから検索し、検索で該当した場所に対応付けられた音データを前記サーバデータベースから検索し、検索で該当した音データを前記携帯端末装置へ送信し、前記携帯端末装置は、音データを受信した場合、受信した音データを再生して音を出力することを特徴とする。
さらに、本発明に係る音出力方法は、携帯端末装置と通信可能なサーバ装置が、位置情報に対応する場所を規定した場所データベース及び場所ごとに音データを対応付けたサーバデータベースを予め記憶し、前記携帯端末装置とは別の携帯式の端末装置の位置に係る位置情報を受信した場合、該位置情報に対応する場所を前記場所データベースから検索し、検索で該当した場所に対応付けられた音データを前記サーバデータベースから検索し、検索で該当した音データを前記携帯端末装置へ送信し、前記携帯端末装置は、音データを受信した場合、受信した音データを再生して音を出力することを特徴とする。
【００１４】
本発明に係る音出力方法は、前記携帯端末装置が自位置に係る位置情報を検出し、検出した位置情報を前記サーバ装置へ送信することを特徴とする。
また、本発明に係る音出力方法は、前記端末装置が、自位置に係る位置情報を検出し、検出した位置情報を前記サーバ装置へ送信することを特徴とする。
【００１５】
本発明に係る音出力方法は、場所ごとに音データを対応付けた音データベースを記憶する携帯端末装置が、該音データベースに登録された音データを再生して音を出力する音出力方法であって、前記携帯端末装置は、外部から場所を受信した場合、該場所に対応付けられた音データを前記音データベースから検索し、検索で該当した音データを再生して音を出力することを特徴とする。
また、本発明に係る音出力方法は、場所ごとに音データを対応付けた音データベースを記憶する携帯端末装置が、該音データベースに登録された音データを再生して音を出力する音出力方法であって、前記携帯端末装置は、自位置に係る位置情報を検出し、検出した位置情報を送信し、前記位置情報の送信に応じて場所を受信した場合、該場所に対応付けられた音データを前記音データベースから検索し、検索で該当した音データを再生して音を出力することを特徴とする。
【００１６】
本発明に係る音データ送信方法は、位置情報に対応する場所を規定した場所データベース及び場所ごとに音データを対応付けたサーバデータベースを記憶するサーバ装置が、該サーバデータベースに登録された音データを送信する音データ送信方法であって、前記サーバ装置が、外部から位置情報を受信した場合、該位置情報に対応する場所を前記場所データベースから検索し、検索で該当した場所に対応付けられた音データを前記データベースから検索し、検索で該当した音データを送信することを特徴とする。
【００１７】
本発明に係る音出力システムは、サーバ装置と通信可能な携帯端末装置が音を出力する音出力システムにおいて、前記サーバ装置は、位置情報に対応する場所を規定した場所データベースと、前記携帯端末装置の位置に係る位置情報を受信した場合、該位置情報に対応する場所を前記場所データベースから検索する手段と、検索で該当した場所を前記携帯端末装置へ送信する手段とを備え、前記携帯端末装置は、場所ごとに音データを対応付けた音データベースと、前記サーバ装置から送信された場所を受信した場合、該場所に対応付けられた音データを前記音データベースから検索する手段と、検索で該当した音データを再生して音を出力する手段とを備えることを特徴とする。
【００１８】
また、本発明に係る音出力システムは、サーバ装置と通信可能な携帯端末装置が音を出力する音出力システムにおいて、前記サーバ装置は、位置情報に対応する場所を規定した場所データベースと、前記携帯端末装置とは別の携帯式の端末装置の位置に係る位置情報を受信した場合、該位置情報に対応する場所を前記場所データベースから検索する手段と、検索で該当した場所を前記携帯端末装置へ送信する手段とを備え、該携帯端末装置は、場所ごとに音データを対応付けた音データベースと、前記サーバ装置から送信された場所を受信した場合、該場所に対応付けられた音データを前記音データベースから検索する手段と、検索で該当した音データを再生して音を出力する手段とを備えることを特徴とする。
【００１９】
さらに、本発明に係る音出力システムは、サーバ装置と通信可能な携帯端末装置が音を出力する音出力システムにおいて、前記サーバ装置は、前記携帯端末装置の位置に係る位置情報及び該携帯端末装置とは別の携帯式の端末装置の位置に係る位置情報を受信した場合、両方の位置情報に基づいて前記携帯端末装置から前記端末装置までの距離を特定する手段と、特定した距離を前記携帯端末装置へ送信する手段とを備え、前記携帯端末装置は、距離に音データを対応付けた音データベースと、前記サーバ装置から送信された距離を受信した場合、該距離に対応付けられた音データを前記音データベースから検索する手段と、検索で該当した音データを再生して音を出力する手段とを備えることを特徴とする。
【００２０】
さらにまた、本発明に係る音出力システムは、サーバ装置と通信可能な携帯端末装置が音を出力する音出力システムにおいて、前記サーバ装置は、位置情報に対応する場所を規定した場所データベースと、場所ごとに音データを対応付けたサーバデータベースと、前記携帯端末装置とは別の携帯式の端末装置の位置に係る位置情報を受信した場合、該位置情報に対応する場所を前記場所データベースから検索する手段と、検索で該当した場所に対応付けられた音データを前記サーバデータベースから検索する手段と、検索で該当した音データを前記携帯端末装置へ送信する手段とを備え、前記携帯端末装置は、前記サーバ装置から送信された音データを受信した場合、受信した音データを再生して音を出力する手段を備えることを特徴とする。
【００２１】
本発明に係る携帯端末装置は、場所ごとに音データを対応付けた音データベースと、
外部から場所を受信した場合、該場所に対応付けられた音データを前記音データベースから検索する手段と、検索で該当した音データを再生して音を出力する手段とを備えることを特徴とする。
また、本発明に係る携帯端末装置は、場所ごとに音データを対応付けた音データベースと、自位置に係る位置情報を検出する手段と、検出した位置情報を送信する手段と、前記位置情報の送信に応じて場所を受信した場合、該場所に対応付けられた音データを前記音データベースから検索する手段と、検索で該当した音データを再生して音を出力する手段とを備えることを特徴とする。
【００２２】
本発明に係るサーバ装置は、位置情報に対応する場所を規定した場所データベースと、
場所ごとに音データを対応付けたサーバデータベースと、外部から位置情報を受信した場合、該位置情報に対応する場所を前記場所データベースから検索する手段と、検索で該当した場所に対応付けられた音データを前記データベースから検索する手段と、検索で該当した音データを送信する手段とを備えることを特徴とする。
【００２３】
本発明に係るコンピュータプログラムは、場所ごとに音データを対応付けた音データベースを記憶する記憶手段と、通信手段と、音出力手段とを有するコンピュータに、音を出力させるためのコンピュータプログラムであって、コンピュータを、前記通信手段で場所を受信した場合、該場所に対応付けられた音データを前記音データベースから検索する手段と、検索で該当した音データを前記音出力手段で再生して音を出力させる処理を行う手段として機能させることを特徴とする。
【００２４】
また、本発明に係るコンピュータプログラムは、場所ごとに音データを対応付けた音データベースを記憶する記憶手段と、通信手段と、自位置に係る位置情報を検出する位置検出手段と、音出力手段とを有するコンピュータに、音を出力させるためのコンピュータプログラムであって、コンピュータを、前記位置検出手段が検出した位置情報を前記通信手段で送信する処理を行わせる手段と、前記位置情報の送信に応じて前記通信手段で場所を受信した場合、該場所に対応付けられた音データを前記音データベースから検索する手段と、検索で該当した音データを前記音出力手段で再生して音を出力させる処理を行う手段として機能させることを特徴とする。
【００２５】
さらに、本発明に係るコンピュータプログラムは、位置情報に対応する場所を規定した場所データベース及び場所ごとに音データを対応付けたサーバデータベースを記憶する記憶手段と、通信手段とを有するコンピュータに、音データを外部へ送信させるためのコンピュータプログラムであって、コンピュータを、前記通信手段で位置情報を受信した場合、該位置情報に対応する場所を前記場所データベースから検索する手段と、検索で該当した場所に対応付けられた音データを前記データベースから検索する手段と、検索で該当した音データを、前記通信手段で送信する処理を行わせる手段として機能させることを特徴とする。
【００２６】
本発明にあっては、携帯端末装置の位置情報に基づいてサーバ装置が具体的な場所を特定すると共に、携帯端末装置は特定された場所に対応付けられた音データの再生音を出力するため、携帯端末装置のユーザは位置する場所に応じた音を聞くことになる。そのため、携帯端末装置が記憶する音データベースの中身を、ドラマ又はゲーム等で使用される音（楽曲、効果音など）を、その音がドラマ又はゲーム等で流れる場所（例えば、公園、銀行、駅など）に対応付けた内容にしておけば、携帯端末装置のユーザは、自身の行動に応じて実際のドラマ又はゲームなどと同様の場所で、同様の音をＢＧＭ的に楽しむことができ、ドラマ又はゲームのようなストーリ性をもった音出力による娯楽性をユーザに提供可能となる。
【００２７】
なお、サーバ装置が受信する携帯端末装置の位置情報は、位置情報装置がサーバ装置へ送信する場合と、いわゆるＧＰＳ機能を具備した携帯端末装置がサーバ装置へ送信する場合が想定される。前者の場合、携帯端末装置の通信の中継を行う中継基地局が該当し、さらには、携帯端末装置が前払い機能（いわゆる財布機能）を有する場合、駅の自動改札装置、銀行のＡＴＭ（現金自動預け払い機）などで携帯端末装置の前払い機能を使用するときは、これら自動改札装置及びＡＴＭなども位置情報装置に該当する（以下、同様）。また、後者の場合は、上述した位置情報装置が不要になるため、処理及び構成の簡易化を図れる。
【００２８】
また、本発明にあっては、携帯端末装置とは別の携帯式の端末装置に対して、場所ごとに音データが対応付けてある音データベースを用いると共に、端末装置の位置情報をサーバ装置を受信するので、サーバ装置は端末装置の場所を特定でき、また、携帯端末装置はサーバ装置で特定された端末装置の場所に応じて、端末装置用の音データを再生して音を出力することが可能になる。その結果、携帯端末装置のユーザは、他の端末装置の位置に応じても特定の音を楽しむことができ、出力される音から自分以外の人（例えば、ユーザの家族、友人、恋人等）が今、どの場所にいるかを予想する娯楽性を得られる。なお、別の端末装置用の音データは、ユーザの携帯端末装置用の音データとは別の内容にしておくと、別の端末装置の場所が変化することで突然、別の種類の音が出力されるので、ユーザの意表をつくような楽しさを提供できる。また、端末装置の位置情報に関しても、上述した携帯端末装置と同様に、位置情報装置を利用する場合と、端末装置自体が具備するＧＰＳ機能を利用する場合とが考えられ、ＧＰＳ機能を有する端末装置を用いると、携帯端末装置で音を出力に至らせるまでの処理の簡易化を図れる（以下、同様）。
【００２９】
なお、上述した端末装置の位置に基づいた携帯端末装置での音出力処理は、携帯端末装置の位置に応じた音出力の処理と組み合わせずに単独で行うことができる。この場合、携帯端末装置の位置取得に係る処理を省略でき、また、携帯端末装置のユーザは、自身が移動しなくても、他の端末装置の位置に応じて予期せぬ音を聞くと云う驚きを含んだ楽しさを享受できる。
【００３０】
さらに、本発明にあっては、携帯端末装置とは別の携帯式の端末装置までの距離に音データが対応付けてある音データベースを用いると共に、サーバ装置は受信した両装置の位置情報に基づき両装置間の距離を特定して携帯端末装置へ通知するので、携帯端末装置は距離に対応付けられた音データを検索して再生出力することが可能になる。その結果、携帯端末装置のユーザは、自分以外の人（例えば、ユーザの家族、友人、恋人等）が、近づいたり、離れたりするごとに所定の音を聞くので、音により自分以外の人の間隔をある程度、推定できる楽しさを享受できる。なお、音データベースには、複数の距離に対して相異する音データを対応付けておくと、両者の距離状況に応じて複数種類の音が出力されて、より詳細に位置関係を把握できる。
【００３１】
さらにまた、本発明にあっては、携帯端末装置とは別の携帯式の端末装置の位置情報をサーバ装置が受信し、サーバ装置は受信した位置情報に対応する音データを、予め記憶するサーバデータベースから検索し、該当した音データを携帯端末装置へ送信するので、携帯端末装置は音データを再生して再生音を出力できる。その結果、携帯端末装置のユーザは、自分以外の人（例えば、ユーザの家族、友人、恋人等）が有する端末装置の位置する場所に応じて、音データベースには登録されていない音データの音が出力されるようになり、意外な音（楽曲、効果音）をユーザはＢＧＭとして楽しめる。なお、このような端末装置の位置に応じてサーバ装置が検出した音データを携帯端末装置で再生出力する処理は、携帯端末装置の位置に応じた音出力の処理と組み合わせずに単独で行うことができる。
【００３２】
また、本発明にあっては、音データベースの配信を行うデータベースサーバ装置へ、携帯端末装置が音データを対応付ける場所を送信すると共に、データベースサーバ装置は、受信した場所に基づいて音データベースを更新し、更新した内容の音データベースを携帯端末装置へ送信（配信）するので、携帯端末装置からの指示に基づき音データベースの内容を適宜設定可能になる。よって、データベースサーバ装置に記憶されているデフォルト状態の音データベースの中身（音データに対応する場所）をユーザの好みに応じてカスタマイズすることができ、ユーザの嗜好にマッチした音出力を行える。
【００３３】
さらに、本発明にあっては、サーバ装置が、携帯端末装置から送信される位置情報及び場所を対応させた対応情報を場所データベースに登録するため、場所データベースの中身を充実させられる。即ち、サーバ装置は、一般的な地図に載っている公の場所、例えば、公園、駅、図書館、銀行、百貨店等は汎用の地図データベースを参照すれば、それらの場所と位置情報（例えば緯度経度）との対応付けを行える。しかし、ユーザが立ち寄るユーザの個人的な場所、例えば、ユーザの自宅、ユーザの友人の家、ユーザの勤務先となる会社建物、ユーザの行きつけのレストラン等の場所は汎用の地図データベースを参照しても、サーバ装置は位置情報を特定できない。そのため、このようなユーザ固有の場所の位置情報を示す対応情報を携帯端末装置からサーバ装置へ送ることで、サーバ装置はユーザ固有の場所の位置情報を場所データベースに反映することができる。したがって、このような場所データベースを用いることで、位置情報に基づきユーザ固有の場所もサーバ装置は特定可能になる。
【００３４】
さらに、本発明にあっては、携帯端末装置は、検出した日に対応付けられた音データの再生出力も行うので、携帯端末装置等の位置に基づいて音を鳴らす以外に、特定の日になるとスペシャルな音を鳴らすことも可能となる。例えば、給料日にはゲーム等で用いられるボーナスステージに入った際に鳴る音（効果音、楽曲音）を携帯端末装置から鳴らすこと、恋人の誕生日にはファンファーレが響くような雰囲気を盛り上げる音を携帯端末装置から鳴らすこと等が可能となり、ユーザが享受する楽しさを増すことができる。
【発明の効果】
【００３５】
本発明にあっては、携帯端末装置の位置情報に基づいてサーバ装置が特定した場所に対応付けられた音データを携帯端末装置が再生出力するので、携帯端末装置のユーザは、移動した場所に応じて楽曲、効果音などの音をＢＧＭ的に楽しむことができ、特に、音データベースの内容を一連の関連性（ストーリ性）のあるものにしたときは、ユーザがストーリの中に入ったようなイメージを音出力により演出できる。
【００３６】
また、本発明にあっては、携帯端末装置とは別の携帯式の端末装置に対して、場所ごとに音データが対応付けてある音データベースを用いて、端末装置の場所に応じても携帯端末装置で端末装置用の音データを再生出力するので、携帯端末装置のユーザは、自身の移動以外に他の人の移動に応じても別な音をＢＧＭ的に楽しむことができ、音出力を幅広く楽しむことができる。
【００３７】
さらに、本発明にあっては、携帯端末装置とは別の携帯式の端末装置までの距離に音データが対応付けてある音データベースを用いて、ユーザの携帯端末装置と他人の端末装置との間の距離に応じて音出力を行うので、携帯端末装置のユーザは、出力される音の種類で他人との距離関係を把握でき、その他人がユーザへ近接離反することで変化する音をＢＧＭ的に楽しめる。
【００３８】
さらにまた、本発明にあっては、携帯端末装置とは別の携帯式の端末装置の場所に応じてサーバ装置から送信される音データを携帯端末装置で再生出力するので、携帯端末装置のユーザは予期せぬ意外な音をＢＧＭとして楽しめる。
【００３９】
また、本発明にあっては、音データベースの配信を行うデータベースサーバ装置へ、携帯端末装置が音データを対応付ける場所を送信すると共に、データベースサーバ装置は受信した場所に基づいて音データベースを更新するので、携帯端末装置からの指示に基づき音データベースの内容を適宜設定でき、ユーザの嗜好にマッチした音出力を行える。
【００４０】
さらに本発明にあっては、サーバ装置が、携帯端末装置から送信される位置情報及び場所を対応させた対応情報を場所データベースに登録するため、ユーザの個人的に関係する場所も場所データベースに反映させて、ユーザの移動に合わせて細やかに音出力を実行できる。
【００４１】
さらにまた、本発明にあっては、携帯端末装置は、検出した日に対応付けられた音データの再生出力も行うので、携帯端末装置等の位置に基づいて音を鳴らす以外に、特定の日になると特別な音を鳴らすことができ、音を出力する処理の条件を多様化して、より幅広い条件で出力される音をユーザは楽しめる。
【００４２】
また、本発明にあっては、携帯端末装置が自位置の位置情報を検出して、その位置情報をサーバ装置へ送信するので、簡易な構成及び処理で携帯端末装置の音出力を行える。
さらに、本発明にあっては、携帯端末装置とは別の端末装置が自位置の位置情報を検出して、その位置情報をサーバ装置へ送信するので、端末装置の場所に基づいて携帯端末装置で音出力を行う場合でも、必要な構成及び処理の簡易化を図れる。
【発明を実施するための最良の形態】
【００４３】
図１は、本発明の第１実施形態に係る音出力システム１の全体的な構成を示している。本実施形態の音出力システム１は、本発明に係るサービスを運営する事業体が管理するサーバ装置３（中央装置及びデータベースサーバ装置に相当）が、本サービスに加入しているユーザの携帯端末装置１０へゲーム及びドラマ等の各場面で使用される一連の楽曲及び効果音の音データを複数含んだ音データベース（特定コンテンツ用音データベース）を配信しておくと共に、ＧＰＳを利用して検出されたユーザの現在位置の情報に基づき、現在位置に対応する場所（例えば公園、銀行、駅）をユーザへ通知し、ユーザの携帯端末装置１０で場所に応じた音を出力するものである。なお、ユーザが有する携帯端末装置１０には、本実施形態においてはＧＰＳ機能を具備した携帯電話機を適用しているが、通信機能及びＧＰＳ機能を具備したＰＤＡ（Personal Digital Assistant）及び携帯型のコンピュータ等も適用できる。
【００４４】
図２は、サーバ装置３の主要な内部構成を示したブロック図である。サーバ装置３は汎用のサーバコンピュータであり、内部バス３ｆを介してＭＰＵ３ａ、通信インタフェース３ｂ、ＲＡＭ３ｃ、ＲＯＭ３ｄ、及びハードディスク装置３ｅを接続している。
【００４５】
通信インタフェース３ｂは、ネットワークＮＷを経由して外部の装置と各種データ及び情報の通信を行う通信手段に相当する。また、ＲＡＭ３ｃは、ＭＰＵ３ａの処理に伴って生じるデータ及びフォルダ等を一時的に記憶し、ＲＯＭ３ｄは、ＭＰＵ３ａが行う基本的な処理内容を規定したプログラムを予め記憶している。ハードディスク装置３ｅは、サーバ装置３を作動させる上で基本となる処理内容を規定したシステムプログラム４、サーバプログラム５、場所データベース６、音データベース７、及び画面データベース８等を記憶している。
【００４６】
サーバプログラム５は、本発明に係るサービスを提供する上で、サーバ装置３のＭＰＵ３ａが行う各種処理内容を規定したものである。具体的には、外部からアクセスを受けると、アクセスの進行状況に応じて画面データベース８の中からアクセス元のユーザ端末に表示させる画面（図６〜図８等参照）用の画面データをアクセス元へ送信する制御をＭＰＵ３ａが行うことをサーバプログラム５は規定している。また、サービスの設定及び準備段階においてサーバプログラム５は、アクセス元から送られてきた変更内容に基づいてデフォルト状態の音データベース７の内容を変更すること、及びアクセス元から送られてきた位置（緯度経度）及び場所の対応を表した情報をデフォルト状態の場所データベース６に追加することも規定している。さらにサーバプログラム５は、ユーザの携帯端末装置１０から位置情報を受信すると、その位置情報に対応する場所を場所データベース６から検索し、検索に該当した結果があると、その該当した場所を位置情報の送信元の携帯端末装置１０へ送信することも規定している。
【００４７】
図４は、ハードディスク装置３ｅに記憶される場所データベース６の内容を示す。場所データベース６は、駅、公園、銀行等の汎用の地図データベースを利用して位置情報が登録されている汎用データ欄６ａ、サービスに加入しているユーザの個人的に関連する場所の位置情報を登録しているユーザデータ欄６ｂを備えている。各データ欄６ａ、６ｂは、場所に対応してＧＰＳ機能を利用して取得できる位置情報（緯度経度）が規定されている。汎用データ欄６ａでは、規定対象となる場所（駅、公園、銀行等）が多数存在するため、場所毎に複数の位置情報が規定されている。一方、ユーザデータ欄６ｂでは、指定対象となる場所（図では、ユーザＸの自宅、ユーザＸの会社等）は一つであるため、場所毎に一つの位置情報が規定されている。なお、ユーザデータ欄６ｂは、ユーザが本サービスに加入するときは空欄になっており、サービス加入後にユーザが場所登録作業を行うことで、ユーザ固有の場所が登録される。また、ユーザデータ欄６ｂは、図４中ではユーザＸのみの内容を示しているが、実際は本サービスに加入しているユーザ分の内容が登録されている。
【００４８】
また、図５は、ハードディスク装置３ｅに記憶される音データベース７の内容を示している。音データベース７は、ゲーム及びドラマの各カテゴリーに属するコンテンツ（ゲームＡ、ゲームＢ・・・、ドラマＡ、ドラマＢ・・・）ごとに、各コンテンツで使用される楽曲及び効果音の音データ（第１音データ、第２音データ・・・）を登録しており、各コンテンツの音データは、場所ごとに対応付けられたものになっている。
【００４９】
例えば、ゲームＡは、ゲームの種類がロールプレイングゲームであり、ゲームＡの進行に応じた各場所で実際に使用される音（楽曲及び効果音。以下同様）が、音データベース７のゲームＡ用欄７ａに登録された各音データになっている。詳しくは、ゲームＡの登場人物が自宅にいるときに鳴る音が、ゲームＡ用欄７ａに登録された第１音データになっており、以下、登場人物が会社にいるときに鳴る音が第２音データであり、登場人物が友人宅にいるときに鳴る音が第３音データであり、登場人物が駅にいるときに鳴る音が第４音データであり、登場人物が公園にいるときに鳴る音が第５音データであり、登場人物が銀行にいるときに鳴る音が第６音データになっている。このようにゲームＡ用欄７ａに登録された各音データはゲームＡの進行に応じたストーリに密接に関連した対応付けになっている。なお、各音データとストーリの関連付けは、他のゲーム用欄７ｂ、７ｃ・・・及びドラマ用欄７ｄ、７ｅ・・・等に登録される音データでも同様である。
【００５０】
サーバ装置３は、上述した構成の音データベース７の中のコンテンツ毎に登録された各欄７ａ、７ｂ等の内容を、欄ごとに特定コンテンツ用音データベースとして配信可能にしている。また、サーバ装置３は、音データベース７をコンテンツごとに配信する際には、配信対象となる音データベース７の内容（例えば、ゲームＡ用欄７ａに登録された場所の内容）をユーザの好み及びユーザの移動先等に応じて適宜変更可能にしている。
【００５１】
また、ハードディスク装置３ｅに記憶される画面データベース８は、複数の画面データを含んでおり、ユーザ側の携帯端末装置１０で画面データの表示処理が行われることで様々な画面が表示パネル部１０ａに表示される。
【００５２】
図６はトップページ画面３０を示し、サーバ装置３がアクセス受けた場合、アクセス元の端末へ最初に送信する画面データにより表示されるものである。トップページ画面３０は、サーバ装置３がユーザに対して行えるメニュー項目を表しており、音データベースをダウンロードする際に選択される第１項目ボタン３０ａ、場所登録を行う際に選択される第２項目ボタン３０ｂ等を設けている。トップページ画面３０は、各項目ボタン３０ａを選択可能にしており、端末側で選択操作が行われると、選択された旨をサーバ装置３へ送信するプログラム的な機能も具備する。
【００５３】
図７（ａ）は、図６のトップページ画面３０でダウンロード用の第１項目ボタン３０ａが選択された場合に端末側で表示されるコンテンツ選択画面３１を示している。コンテンツ選択画面３１は、サーバ装置３で記憶されている音データベース７に登録されているゲーム及びドラマのカテゴリーに含まれる各コンテンツを選択可能に表記したものである。例えば、ゲームのカテゴリーとして、音データベース７に登録されている各ゲームのコンテンツ（ゲームＡ、ゲームＢ・・・）のいずれかを選択できるゲーム選択欄３１ａが設けられ、ドラマのカテゴリーでは、各ドラマのコンテンツ（ドラマＡ、ドラマＢ・・・）のいずれかを選択できるドラマ選択欄３１ｂが設けられている。コンテンツ選択画面３１は、端末側で各選択欄３１ａ、３１ｂの中からコンテンツが選択されると、選択内容をサーバ装置３へ送信するプログラム的な機能を具備する。
【００５４】
図７（ｂ）は、図７（ａ）のコンテンツ選択画面３１でコンテンツが選択された場合に端末側で次に表示される確認画面３２を示している。確認画面３２は、選択されたコンテンツの名称（図では、ゲームＡ）が表記されると共に、ダウンロードボタン３２ａ、設定変更ボタン３２ｂ、前の画面へ戻るための戻るボタン３２ｃを選択可能に設けている。なお、確認画面３２も、端末側で各ボタン３２ａ〜３２ｃの選択操作が行われると、選択された旨をサーバ装置３へ送信する機能を具備する。
【００５５】
図８（ａ）は、図７（ｂ）の確認画面３２で設定変更ボタン３２ｂが選択された場合に端末側で表示される設定変更画面３３を示している。確認画面３３は、設定変更の対象となる音を選択する音データ選択欄３３ａ、選択された音データに対する場所を設定する場所設定欄３３ｂ、選択可能な登録ボタン３３ｃ、及び前の画面へ戻るための戻るボタン３２ｄを設けている。設定変更画面３３は、端末側で音データ選択欄３３ａで音データが選択されると共に場所設定欄３３ｂで場所が設定された状態で登録ボタン３３ｃの選択操作が行われると、選択された音データと設定された場所をサーバ装置３へ送信する機能を具備している。
【００５６】
また、図８（ｂ）は、図６のトップページ画面３０で場所登録用の第２項目ボタン３０ｂが選択された場合に端末側で表示される場所登録画面３４を示している。場所登録画面３４は、ユーザの個人的に関係する場所をサーバ装置３の場所データベース６に登録するためのものであり、登録する場所を選択する登録場所選択欄３４ａを備えると共に、選択可能な登録ボタン３４ｂ及び前の画面へ戻るための戻りボタン３４ｃを設けている。なお、この場所登録画面３４は、ユーザが有する携帯端末装置１０のＧＰＳ機能と連係するプログラム機能を具備し、登録場所選択欄３４ａで場所が選択された状態で登録ボタン３４ｂの選択操作が携帯端末装置１０で行われると、ＧＰＳ機能により検出された最新の位置情報（緯度経度）と選択された内容（場所）とを対応させた対応情報をサーバ装置３へ送信するようになっている。
【００５７】
一方、図３は、本サービスに加入するユーザが有する携帯端末装置１０の内部構成を示すブロック図である。携帯端末装置１０は、無線通信が可能な一種のコンピュータに相当し、各種制御処理を行うＣＰＵ１１に、通信部１２（通信手段に相当）、ＧＰＳ受信部１３、ＲＡＭ１４、ＲＯＭ１５、表示用インタフェース１６、操作部インタフェース１７、音出力処理部１８、及び記憶部１９（記憶手段に相当）を内部バス１０ｆで接続した構成になっている。
【００５８】
通信部１２は、無線アンテナ１０ｃと接続されて図１に示す多数の中継基地局２Ａ、２Ｂ・・・と無線通信を行い、ネットワークＮＷに接続された様々な機器とデータを送受信し、ＣＰＵ１１の制御指示に基づき所定の通信先と通信を行う。ＧＰＳ受信部１３は、ＧＰＳアンテナ１０ｄと接続されて図１に示すＧＰＳの通信衛星Ｇから出される電波を所定の時間間隔で受信して携帯端末装置１０の自位置の位置情報を検出する。ＲＡＭ１４はＣＰＵ１１の処理に従うデータ及びフォルダ等を一時的に記憶し、ＲＯＭ１５はＣＰＵ１１が行う基本的な処理内容を規定したプログラム等を予め記憶している。
【００５９】
また、表示用インタフェース１６は、表示パネル部１０ａと接続され、サーバ装置３から送信された各種画面データの表示処理を行って表示パネル１０ａに図６〜８等に示す各種画面３０、３１等を表示する。操作部インタフェース１７は、携帯端末装置１０の筐体表面に設けられた多数の操作キーからなる操作部１０ｂと接続され、操作部１０ｂでユーザから各種操作を受け付けて、表示パネル１０ａで表示される各画面３０、３１等の中の選択項目等に対する選択操作等をユーザが行えるようにしている。音出力処理部１８は、スピーカ１０ｅが接続されており、ダウンロードした音データをＣＰＵ１１の制御指示に基づき再生処理を行ってスピーカ１０ｅから再生音を出力する。
【００６０】
さらに記憶部１９は、各種プログラム及びデータ等を記憶し、本実施形態ではプログラムとして、携帯端末装置１０のＣＰＵ１１が行う基本的な処理内容を規定した端末プログラム２０と、本サービス用の処理を携帯端末装置１０で行う場合のＣＰＵ１１の処理内容を規定した処理プログラム２１と記憶すると共に、ダウンロードした特定コンテンツ用音データベース２２を記憶している。
【００６１】
端末プログラム２０が規定する処理内容には、ＧＰＳ受信部１３を用いて自位置の位置情報を検出する制御内容、及び表示用インタフェース１６を用いて画面データの表示処理を行わせて表示パネル１０ａに所定の画面を表示させる処理内容などがある。また、処理プログラム２１が規定する処理内容には、検出した位置情報を通信部１２を用いてサーバ装置３へ送信させる処理内容、通信部１２で受信した場所に基づき記憶部１９で記憶する特定コンテンツ用音データベース２２を検索する処理内容、及び検索でヒットした音データを音出力処理部１８を用いて再生出力する処理内容などがある。さらに、記憶部１９に記憶される特定コンテンツ用音データベース２２は、図５に示す音データベース７の中からユーザにより選択されたコンテンツに係る各種音データを含んだものになっている。
【００６２】
次に、本発明のサービスを実行するための一連の処理手順の内容（音出力方法の内容）を図９〜図１２に示す第１フローチャートから第４フローチャートに従って説明する。なお、図９の第１フローチャートから図１１の第３フローチャートまでの内容は、本発明のサービスにおける準備段階（特定コンテンツ用音データベースのダウンロード、場所登録、設定変更）に関する処理手順を示したものであり、図１２の第４フローチャートは本発明のサービスの中心的な内容となるユーザの携帯端末装置１０での音出力に関するものである。
【００６３】
先ず、図９の第１フローチャートに基づき説明すると、本発明のサービスに登録しているユーザは、携帯端末装置１０でサーバ装置３へアクセスする（Ｓ１）。サーバ装置３はアクセスを受けると図６に示すトップページ用の画面データを携帯端末装置１０へ送信する（Ｓ２）。携帯端末装置１０は画面データを受信すると、表示パネル１０ａに図６のトップページ画面３０を表示して何れの項目がユーザに選択されたかを判断する（Ｓ３）。場所登録が選択された場合（Ｓ３：場所登録）、携帯端末装置１０は図１０に示す第２フローチャートの処理を開始する。
【００６４】
一方、音データベースのダウンロードが選択された場合（Ｓ３：ダウンロード）、携帯端末装置１０は、ダウンロード選択の旨をサーバ装置３へ送信する（Ｓ４）。サーバ装置３は、ダウンロード選択の旨を受信すると、図７（ａ）のコンテンツ選択用の画面データを携帯端末装置１０へ送信する（Ｓ５）。携帯端末装置１０は画面データを受信すると、図７（ａ）のコンテンツ選択画面３１を表示すると共に、ユーザが希望するコンテンツ（例えばゲームＡ）の選択を受け付けて、受け付けた選択内容をサーバ装置３へ送信する（Ｓ６）。サーバ装置３は、選択内容を受信すると、選択内容を反映した図７（ｂ）の確認用の画面データを携帯端末装置１０へ送信する（Ｓ７）。
【００６５】
携帯端末装置１０は画面データを受信すると、図７（ｂ）の確認画面３２を表示して何れの項目がユーザに選択されたかを判断する（Ｓ８）。設定変更が選択された場合（Ｓ８：設定変更）、携帯端末装置１０は図１１に示す第３フローチャートの処理を開始する。また、ダウンロードが選択された場合（Ｓ８：ダウンロード）、携帯端末装置１０は確認したコンテンツ（図ではゲームＡ）のダウンロード指示をサーバ装置３へ送信する（Ｓ９）。サーバ装置３はダウンロード指示を受信すると、対象となる特定コンテンツ用音データベース２２（登録された欄ごとの内容）を図５の音データベース７から抽出して携帯端末装置１０へ送信（配信）する（Ｓ１０）。また、携帯端末装置１０は特定コンテンツ用音データベース２２を受信すると、記憶部１９に記憶し（Ｓ１１）、ダウンロードを完了する。
【００６６】
また、上述した第１フローチャートから図１０に示す第２フローチャートへ処理が進行した場合、携帯端末装置１０は先ず、図６のトップページ画面３０で場所登録を選択した旨を送信する（Ｓ２０）。サーバ装置３は、場所登録選択の旨を受信すると、図８（ｂ）の場所登録用の画面データを携帯端末装置１０へ送信する（Ｓ２１）。携帯端末装置１０は画面データを受信すると、図８（ｂ）の場所登録画面３４を表示し、登録場所選択欄３４ａで場所が選択された状態で登録ボタン３４ｂが選択されたか否かを判断する（Ｓ２２）。登録ボタン３４ｂが選択されない場合（Ｓ２２：ＮＯ）、選択待ちの状態となり、登録ボタン３４ｂが選択された場合（Ｓ２２：ＹＥＳ）、携帯端末装置１０は自位置の位置情報を検出し（Ｓ２３）、検出した位置情報と、登録場所選択欄３４ａで選択された場所とを対応させた対応情報を作成してサーバ装置３へ送信する（Ｓ２４）。サーバ装置３は対応情報を受信すると、図４に示す場所データベース６のユーザデータ欄６ｂに対応情報を登録し（Ｓ２５）、場所データベース６の内容を増強する。なお、対応情報の登録後は、図９の第１フローチャート中の処理段階（Ｓ３）へ戻る。
【００６７】
さらに、上述した第１フローチャートから図１１に示す第３フローチャートへ処理が進行した場合、携帯端末装置１０は先ず、図７（ｂ）の確認画面３２で設定変更を選択した旨を送信する（Ｓ３０）。サーバ装置３は、設定変更選択の旨を受信すると、図８（ａ）の設定変更用の画面データを携帯端末装置１０へ送信する（Ｓ３１）。携帯端末装置１０は画面データを受信すると、図８（ａ）の設定変更画面３３を表示し、音データ選択欄３３ａで音データが選択されると共に、場所設定欄３３ｂで場所が設定された状態で登録ボタン３３ｃが選択されたか否かを判断する（Ｓ３２）。登録ボタン３３ｃが選択されない場合（Ｓ３２：ＮＯ）、選択待ちの状態となり、登録ボタン３３ｃが選択された場合（Ｓ３２：ＹＥＳ）、選択された音データ（例えば、第１音データ）と設定された場所（例えば、デパート）を組にした変更情報をサーバ装置３へ送信する（Ｓ３３）。サーバ装置３は変更情報を受信すると、図５に示す音データベース６の選択されているコンテンツ欄（例えば、ゲームＡ用欄７ａ）に変更情報を登録し（Ｓ３４）、デフォルト状態の音データベース６の内容をユーザの好みに合わせて更新する。なお、変更情報の登録後は、図９の第１フローチャート中の処理段階（Ｓ８）へ戻る。
【００６８】
次に、図１２の第４フローチャートに基づき本サービスの音出力方法の処理手順を説明する。先ず、携帯端末装置１０は、本サービスを開始する操作（サービス開始オン）をユーザが行うと、所定の時間間隔で検出する自位置の位置情報をサーバ装置３へ送信する（Ｓ４０）。サーバ装置３は位置情報を受信すると、位置情報に対応する場所を場所データベース６から検索し（Ｓ４１）、検索でヒットしたか否かを判断する（Ｓ４２）。
【００６９】
ヒットしなかった場合（Ｓ４２：ＮＯ）、サーバ装置３は位置情報を受信する段階へ戻る。また、ヒットした場合（Ｓ４２：ＹＥＳ）、ヒット（該当）した場所を携帯端末装置１０へ送信する（Ｓ４３）。携帯端末装置１０は、場所を受信すると、場所に対応付けられた音データを予めダウンロードして記憶部１９に記憶している特定コンテンツ用音データベース２２から検索し（Ｓ４４）、ヒットした音データを再生処理して音を出力する（Ｓ４５）。それから、携帯端末装置１０は、本サービスを終了する操作をユーザが行ったか否かを判断し（Ｓ４６）、終了操作が行われていない場合（Ｓ４６：ＮＯ）、最初の処理段階（Ｓ４０）へ戻り、上述した処理を継続する。また、終了操作が行われた場合（Ｓ４６：ＹＥＳ）、本サービスの処理を終了する。
【００７０】
このように本発明の第１実施形態では、携帯端末装置１０が検出場所に応じて特定のコンテンツ（例えば、ゲームＡ）に関連した一連の音が適宜出力されるため、携帯端末装置１０のユーザは、自身の行動パターンに特定のコンテンツのストーリが組み合わされたようなイメージを出力される音（ＢＧＭ音）により楽しむことができる。そのため、第１実施形態の発明は、現実の世界と特定のコンテンツの世界をＢＧＭ音で融合したような娯楽性をユーザに提供できる。
【００７１】
なお、第１実施形態は上述した内容以外に様々な変形例が存在する。例えば、サーバ装置３は、ダウンロード処理と場所検出処理の両方を行っているが、ネットワークで繋がった複数のサーバ装置を用いて、これらの処理を分散処理するような形態にすることも可能である。
【００７２】
また、音を出力する条件には、携帯端末装置１０の場所以外に日付を加えて、特定の日になると設定された音を出力させるようにしてもよい。この場合は、携帯端末装置１０は図１３に示すような日ごとに各音データを対応付けた日用音欄２２ａを含んだ特定コンテンツ用音データベース２２をダウンロードすることになる。詳しくは、特定コンテンツ用音データベース２２のダウンロード時にサーバ装置３は図１４に示すような日設定用の画面データを送信し、携帯端末装置１０が画面データを受信すると図１４の日設定画面３５を表示し、日設定欄３５ａで音出力を希望する日の入力操作を行うと共に、楽曲設定欄３５ｂで希望する楽曲（音データ）を設定した状態で登録ボタン３５ｃが選択されると、希望する日と希望する楽曲がサーバ装置３へ送信されることになる。また、サーバ装置３は受信した内容を反映するため、日用音欄２２ａを含む特定コンテンツ用音データベース２２を作成して携帯端末装置１０へ送信する。なお、楽曲設定欄３５ｂで選択可能な楽曲はユーザが希望するコンテンツに関連したもの、または関連しないものの何れでも可能である。
【００７３】
図１５に示す第５フローチャートは、図１３の日用音欄２２ａを携帯端末装置１０がダウンロードして記憶している場合の音出力方法の処理手順を示している。この場合、携帯端末装置１０は、ＣＰＵ１１が具備するカレンダー機能（日時を計時するクロック機能）により日を検出して（Ｓ５０）、検出した日に対応付けられた音データを日用音欄２２ａから検索し（Ｓ５１）、ヒットしたか否かを判断する（Ｓ５２）。ヒットしない場合（Ｓ５２：ＮＯ）、処理を終了する。また、ヒットした場合（Ｓ５２：ＹＥＳ）、ヒットした音データを再生して音を出力する（Ｓ５３）。なお、音を出力するときは、デフォルトでは、設定された日の午前１０時及び午後３時に出力されるようになっているが、音出力の時刻は適宜変更可能である。このように日に応じても音を出力可能にすることで、例えば、ユーザの給料日には特定コンテンツ（例えば、ゲームＡ）で使用されるボーナスステージの音を出力すること、また、恋人の誕生日には特別な音を出力することが可能となり、より娯楽性を高められる。
【００７４】
図１６は、第１実施形態の変形例に係る音出力システム１′のの全体的な構成を示している。図１の音出力システム１ではＧＰＳ機能を具備した携帯端末装置１０の場合で説明したが、変形例の音出力システム１′はＧＰＳ機能を具備しない携帯端末装置１０′に対して本発明のサービスを適用するものである。変形例の音出力システム１′では、携帯端末装置１０′が無線通信を行う際に使用する複数の中継基地局２Ａ′、２Ｂ′等が位置情報装置として機能する。具体的には、中継基地局２Ａ′、２Ｂ′等は固有の識別番号が付されており、携帯端末装置１０′からサーバ装置３′への通信を中継する際、通信内容に自己の識別番号を付してサーバ装置３′へ送る処理を行う。この通信内容に付される識別番号が、変形例の音出力システム１′では携帯端末装置１０′の位置情報に該当する。
【００７５】
一方、サーバ装置３′は、基本的に図２に示すサーバ装置３と同様であるが、ハードディスク装置３ｅに記憶する場所データベース６の内容が図４と相異したものになる。即ち、図４に示す場所データベース６では、各場所に緯度経度の位置情報を対応させているが、変形例のサーバ装置３′が記憶する場所データベースでは、各場所に中継基地局２Ａ′、２Ｂ′等の識別番号を対応させたものになっている。
【００７６】
図１７に示す第６フローチャートは、図１６の変形例の音出力システム１′における音出力方法の処理手順を示したものである。先ず、位置情報装置（中継基地局２Ａ′等）は、携帯端末装置１０′の無線通信を中継するか否かの状態になる（Ｓ６０）。無線通信を中継しない場合（Ｓ６０：ＮＯ）、中継待ちとなり、無線通信を中継する場合（Ｓ６０：ＹＥＳ）、位置情報装置（中継基地局２Ａ′等）は、通信内容に位置情報（自己の識別番号）を付してサーバ装置３′へ送信する（Ｓ６１）。
【００７７】
この後の処理は、図１２の第４フローチャートと同等であり、サーバ装置３′は位置情報を受信すると、位置情報に対応する場所を変形例の場所データベースから検索し（Ｓ６２）、検索でヒットしたか否かを判断し（Ｓ６３）、ヒットしなかった場合（Ｓ６３：ＮＯ）、位置情報を受信する段階へ戻り、ヒットした場合（Ｓ６３：ＹＥＳ）は、ヒットした場所を携帯端末装置１０′へ送信する（Ｓ６４）。携帯端末装置１０′は、場所を受信すると、場所に対応付けられた音データを検索し（Ｓ６５）、ヒットした音データを再生処理して音を出力し（Ｓ６６）、本サービスを終了する操作をあるか否かを判断し（Ｓ６７）、終了操作がない場合（Ｓ６７：ＮＯ）、場所を受信して検索する処理段階（Ｓ６５）へ戻り、終了操作があった場合（Ｓ６７：ＹＥＳ）、本サービスの処理を終了する。
【００７８】
このように、変形例の音出力システム１′では、ＧＰＳ機能を備えない携帯端末装置１０′でも本発明のサービスを利用可能になる。なお、ユーザが有する携帯端末装置が、非接触ＩＣカード機能（いわゆるお財布ケータイ機能）を具備する場合は、非接触ＩＣカード機能に対応したリード及びライトを行う各種装置（例えば、ＡＴＭ、自動改札装置等）をサーバ装置３′と通信可能にすると共に、リード及びライト時に固有の識別番号をサーバ装置３′へ送信するようにし、また、場所データベースにも上述したリード及びライトを行う各種装置（位置情報装置に相当）の識別番号を設置場所に対応させて登録することで、図１７の第６フローチャートに従って携帯端末装置がリード及びライトの処理を行うごとに特定の音出力を行わせることが可能になる。
【００７９】
図１８は、本発明の第２実施形態に係る音出力システム４０の全体的な構成を示している。これから述べる第２実施形態の説明では、第１実施形態と同等のものに関しては、第１実施形態と同一の符号を付している。第２実施形態の音出力システム４０は、第１実施形態で説明したサービス内容に加えて、ユーザとは別の人（例えば、ユーザの家族、ユーザの友人、ユーザの恋人等）が有する携帯式の端末装置２５の位置に応じて、ユーザの携帯端末装置１０で音を出力することを特徴にしている。なお、ユーザとは別の人の端末装置２５は基本的には、図３に示すＧＰＳ機能を具備した携帯端末装置１０と同等の構成であるが、通信機能及びＧＰＳ機能を具備したＰＤＡ、携帯式のコンピュータ等も端末装置２５も適用可能である。また、端末装置２５は、固有のＩＤ番号が付されており、ＧＰＳ機能を用いて位置情報（緯度経度）を検出すると、検出した位置情報を自己のＩＤ番号と共にサーバ装置３へ送信するようになっている。
【００８０】
サーバ装置３は、第２実施形態において図１９（ａ）に示す他人設定画面４１の画面データ及び他人用コンテンツ選択画面４２の画面データを記憶しており、これらの画面データをサービスの準備段階でユーザの携帯端末装置１０へ送ることで、他人の設定及び他人用のコンテンツの設定を行うことになる。なお、このような設定を行えるようにするため、第２実施形態で用いるトップページ画面は、図６に示す第１実施形態のトップページ画面３０の内容に、他人に係る設定を行うための項目ボタンが追加されたものを用いる。
【００８１】
図１９（ａ）の他人設定画面４１は、ユーザが設定を希望する他人が有する端末装置２５の電話番号入力欄４１ａ、ＩＤ番号入力欄４１ｂ、及び登録ボタン４１ｃ等を設けている。ユーザは、準備段階で携帯端末装置１０の表示パネル１０ａに他人設定画面４１を表示して、各欄４１ａ、４１ｂに所定事項を入力した状態で登録ボタン４１ｃを選択することで、入力事項がサーバ装置３へ送信される。また、サーバ装置３は他人の入力事項を受信すると、ハードディスク装置３ｅに記憶すると共に、図１９（ｂ）の他人用コンテンツ選択画面４２の画面データをユーザの携帯端末装置１０へ送信することになる。
【００８２】
また、図１９（ｂ）の他人用コンテンツ選択画面４２は、図７（ａ）のコンテンツ選択画面３１と同等のものであり、ゲーム選択欄４２ａ及びドラマ選択欄４２ｂが設けられている。なお、他人用コンテンツ選択画面４２では、ユーザ自身が選択したコンテンツと異なるコンテンツが選択できるようになっている。
【００８３】
図２０は、第２実施形態において携帯端末装置１０がダウンロードする特定コンテンツ用音データベース４５の中身を示している。上述した他人設定画面４１及び他人用コンテンツ選択画面４２で所定の設定を行うことで、第２実施形態の特定コンテンツ用音データベース４５は、図５に示す第１実施形態の音データベース７のゲームＡ用欄７ａの内容に、他人用の登録内容（場所ごとに音データを対応付けたもの）を含む他人設定欄４５ａが追加されたものになっている。サーバ装置３は、携帯端末装置１０が行った他人用の設定に基づき、図２０に示す特定コンテンツ用音データベース４５を作成して、携帯端末装置１０へ送信している。なお、他人設定欄４５ａには図示していないが、ＩＤ番号が付されており、このＩＤ番号により他の欄とを区別可能になっている。
【００８４】
図２１は、第２実施形態の音出力システム４０による音出力方法の一連の処理手順を示した第７フローチャートである。第２実施形態では、図１２の第４フローチャートの処理と並行して第７フローチャートの処理が行われる。以下、第７フローチャートの内容を説明する。第２実施形態に係るサービスが開始されると、先ず、設定された他人の端末装置２５が、ＧＰＳの通信衛星Ｇより所定の時間間隔で検出する自位置の位置情報をサーバ装置３へ自身のＩＤ番号と共に送信する（Ｓ７０）。サーバ装置３は位置情報を受信すると、位置情報に対応する場所を場所データベース６から検索し（Ｓ７１）、検索でヒットしたか否かを判断する（Ｓ７２）。
【００８５】
ヒットしなかった場合（Ｓ７２：ＮＯ）、位置情報を受信する段階へ戻り、ヒットした場合（Ｓ７２：ＹＥＳ）、ヒットした場所を他人用のＩＤ番号と共に携帯端末装置１０へ送信する（Ｓ７３）。携帯端末装置１０は、場所及びＩＤ番号を受信すると、場所に対応付けられた音データを図２０の特定コンテンツ用音データベース４５の他人設定欄４５ａから検索し（Ｓ７４）、ヒットした音データを再生処理して音を出力する（Ｓ７５）。それから、携帯端末装置１０は、本サービスを終了する操作をユーザが行ったか否かを判断し（Ｓ７６）、終了操作が行われていない場合（Ｓ７６：ＮＯ）、場所を受信して検索する段階（Ｓ７４）へ戻り、終了操作が行われた場合（Ｓ７６：ＹＥＳ）、本サービスの処理を終了する。
【００８６】
このように本発明の第２実施形態では、設定した他人の端末装置２５の位置に応じて携帯端末装置１０で突然、別のコンテンツに係る音が出力されるため、自身が選択したコンテンツとは別のコンテンツに係るストーリが割り込むような形でＢＧＭ音が鳴り、異なるストーリのＢＧＭ音により設定した他人（ユーザの家族、友人、恋人）が現在、どのような場所にいるかを想像する楽しさを得られる。また、ユーザが移動しない場合でも、設定した他人の移動だけで様々なＢＧＭ音を楽しむことができる。なお、第２実施形態の音出力システム４０は、上述した以外の内容は第１実施形態と同様である。
【００８７】
また、第２実施形態においても、第１実施形態で説明した各種変形例の適用が可能である。特に、他人の端末装置２５がＧＰＳ機能を具備しないときは、図１６の第１実施形態の変形例の音出力システム１′で説明したように、他人の端末装置２５の位置情報を各種位置情報装置がサーバ装置３へ送信するようにすることが可能である。勿論、ユーザの携帯端末装置１０がＧＰＳ機能を具備しないときは、位置情報装置が携帯端末装置１０の位置情報をサーバ装置３へ送信してもよい。また、第２実施形態では、本発明のサービスを行っているときは、図１２の第４フローチャートの処理と、図２１の第７フローチャートの処理が並行して行われるが、第７フローチャートの処理のみを行う設定も可能である。また、第２実施形態では、図１２の第４フローチャートに示す処理を行わない構成及び処理形態も適用可能である。
【００８８】
図２２は、本発明の第３実施形態に係る音出力システムで使用される特定コンテンツ用音データベース５０の内容を示している。第３実施形態の音出力システムのハード的な構成は、図１８に示す第２実施形態の音出力システム４０と同じであるため、第３実施形態の説明では、第２実施形態と同じ符号を用いる。第３実施形態の音出力システムは、第１実施形態で説明したサービス内容に加えて、ユーザとは別の人（例えば、ユーザの家族、ユーザの友人、ユーザの恋人等）が有する携帯式の端末装置２５と、ユーザの携帯端末装置１０との間の距離に応じて、ユーザの携帯端末装置１０で音を出力することを特徴にしている。
【００８９】
第３実施形態の音出力システムは、他人に関する設定及び他人用のコンテンツの設定については第２実施形態と同様にしており、図１９（ａ）の他人設定画面４１及び図１９（ｂ）の他人用コンテンツ選択画面４２に基づき携帯端末装置１０で入力された内容が、サーバ装置３で登録される。また、第３実施形態では、他人用コンテンツ選択画面４２に基づき選択されたコンテンツ（ゲーム又はドラマ等）における各音データを、距離に対応付けるようになっている。具体的には、他人用コンテンツの設定が完了すると、サーバ装置３は、設定されたコンテンツの各音データに対応付ける距離を設定するための画面データを携帯端末装置１０へ送信し、携帯端末装置１０は、受信した画面データに係る距離設定画面（図示せず）に基づき各音データに対応付ける距離として、ユーザの好みに応じて入力される数値を受け付け、各音データとの対応付けを行った状態で距離の数値をサーバ装置３へ送信する。サーバ装置３は、受信した内容に基づき図２２に示すような特定コンテンツ用音データベース５０を作成して携帯端末装置１０へ配信し、携帯端末装置１０は受信した特定コンテンツ用音データベース５０を記憶する。
【００９０】
上述した処理を経て作成される特定コンテンツ用音データベース５０は、第１実施形態の内容に対応したユーザ用コンテンツ欄５０ａに、第３実施形態用の距離別コンテンツ欄５０ｂが追加されたものになっている。距離別コンテンツ欄５０ｂは、ユーザの設定により携帯端末装置１０と端末装置２５との間隔の距離に各音データを対応付けたものになっている。
【００９１】
また、第３実施形態のサーバ装置３が行う特有の処理として、両装置１０、２５間の距離を算出することがある。この処理は、第３実施形態で使用されるサーバプログラムに含まれるものであり、両装置１０、２５に係る位置情報（緯度経度）をサーバ装置３が受信すると、位置情報に基づき両装置１０、２５間の距離を算出して特定する内容になっている。なお、第３実施形態では、上述した以外の内容は第２実施形態と同様である。
【００９２】
図２３は、第３実施形態の音出力システムに係る音出力方法の一連の処理手順を示す第８フローチャートである。以下、この第８フローチャートに沿って第３実施形態の処理手順を説明する。第３実施形態に係るサービスが開始されると、先ず、設定された他人の端末装置２５が、ＧＰＳの通信衛星Ｇより所定の時間間隔で検出する自位置の位置情報をサーバ装置３へ送信すると共に（Ｓ８０）、ユーザの携帯端末装置１０もＧＰＳ機能に基づき自位置に係る位置情報をサーバ装置３へ送信する（Ｓ８１）。
【００９３】
サーバ装置３は両装置１０、２５から位置情報を受信すると、両方の位置情報（緯度経度）に基づき両装置間の距離を算出して特定し（Ｓ８２）、特定した距離を携帯端末装置１０へ送信する（Ｓ８３）。携帯端末装置１０は距離を受信すると、受信した距離に対応付けられた音データを図２２の特定コンテンツ用音データベース５０の距離別コンテンツ欄５０ｂから検索し（Ｓ８４）、ヒットした音データを再生処理して音を出力する（Ｓ８５）。それから、携帯端末装置１０は、本サービスを終了する操作をユーザが行ったか否かを判断し（Ｓ８６）、終了操作が行われていない場合（Ｓ８６：ＮＯ）、位置情報を送信する段階（Ｓ８１）へ戻り、終了操作が行われた場合（Ｓ８６：ＹＥＳ）、本サービスの処理を終了する。
【００９４】
このように本発明の第３実施形態では、両装置間の距離に応じて携帯端末装置１０で様々な音がＢＧＭ的に出力されるため、携帯端末装置１０のユーザは出力される音の内容により、設定した他人（ユーザの家族、友人、恋人）が近づいているのか、又は遠のいているのか等を判断する楽しさを得られる。なお、第３実施形態においても、第１実施形態及び第２実施形態で説明した各種変形例（第３実施形態のみの内容を行うことなど）の適用が可能である。特に、ユーザの携帯端末装置１０、又は他人の端末装置２５がＧＰＳ機能を具備しないときは、図１６の第１実施形態の変形例の音出力システム１′で説明したように、携帯端末装置１０又は端末装置２５の位置情報を各種位置情報装置がサーバ装置３へ送信するようにすることが可能であるが、この場合は、各位置情報装置が設置された場所の位置情報（緯度経度）を、サーバ装置３が各位置情報装置の識別番号に対応づけて場所データベースに記憶しておき、各位置情報装置から無線通信時に送られる識別番号に対応付けられた位置情報に基づき両装置間の距離を算出することになる。また、第３実施形態の内容は、第１実施形態及び第２実施形態の両方の内容と組み合わせること、並びに第２実施形態の内容のみと組み合わせることも可能である。
【００９５】
図２４は、本発明の第４実施形態に係る音出力システムで使用されるサプライズ設定用のオン／オフ設定画面５５を示している。第４実施形態の音出力システムのハード的な構成は、図１８に示す第２実施形態の音出力システム４０と同じであるため、第４実施形態の説明でも、第２実施形態と同じ符号を用いる。第４実施形態の音出力システムは、第１実施形態で説明したサービス内容に加えて、ユーザとは別の人（例えば、ユーザの家族、ユーザの友人、ユーザの恋人等）が有する携帯式の端末装置２５の位置に応じて、ユーザの携帯端末装置１０へ配信していない種類の音をユーザの携帯端末装置１０で出力することを特徴にしている。
【００９６】
第４実施形態の音出力システムは、設定準備段階でサーバ装置３が図２４のオン／オフ設定用の画面データを携帯端末装置１０へ送信し、携帯端末装置１０はオン／オフ設定画面５５を表示して、オンボタン５５ａ又はオフボタン５５ｂのいずれかを選択して、選択した内容をサーバ装置３へ送信する。また、サーバ装置３は、第１実施形態の音データベース７とは相異するコンテンツの音データを含むサーバデータベース（図示せず）をハードディスク装置３ｅに記憶している。サーバデータベースの内容は、基本的には音データベース７と同様に場所ごとに音データを対応付けたものであるが、このサーバデータベースは携帯端末装置１０へは配信されない種類の特別な音データを登録している。第４実施形態のサーバ装置３は、他人の端末装置２５の位置に応じて、記憶するサーバデータベースから対応する音データを検索し、ヒットした音データをユーザの携帯端末装置１０へ送信するようになっている。このような第４実施形態特有の処理は、サーバ装置３のハードディスク装置３ｅに記憶されるサーバプログラムに含まれる。なお、第４実施形態では、上述した以外の内容は第１乃至第３実施形態と同様である。
【００９７】
図２５は、第４実施形態の音出力システムに係る音出力方法の一連の処理手順を示す第９フローチャートである。以下、この第９フローチャートに沿って第４実施形態の処理手順を説明する。第４実施形態に係るサービスが開始を開始するために、ユーザの携帯端末装置１０は、図２４のオン／オフ設定画面５５でオンボタン５５aを選択した旨（サプライズ設定を行った旨）をサーバ装置３へ送信する（Ｓ９０）。また、他人の端末装置２５は、ＧＰＳの通信衛星Ｇより所定の時間間隔で検出する自位置の位置情報をサーバ装置３へ送信する（Ｓ９１）。
【００９８】
サーバ装置３は位置情報を受信すると、位置情報に対応する場所を場所データベースから検索し（Ｓ９２）、検索でヒットしたか否かを判断する（Ｓ９３）。ヒットしなかった場合（Ｓ９３：ＮＯ）、位置情報を受信する段階へ戻り、ヒットした場合（Ｓ９３：ＹＥＳ）、ヒットした場所に対応する音データをハードディスク装置３ｅに記憶するサーバデータベースから検索すると共に、ヒットした音データを携帯端末装置１０へ送信する（Ｓ９４）。携帯端末装置１０は、音データを受信すると、受信した音データを再生処理して音を出力する（Ｓ９５）。それから、携帯端末装置１０は、本サービスを終了する操作をユーザが行ったか否かを判断し（Ｓ９６）、終了操作が行われていない場合（Ｓ９６：ＮＯ）、音データを受信する段階へ戻り、終了操作が行われた場合（Ｓ９６：ＹＥＳ）、本サービスの処理を終了する。
【００９９】
このように第４実施形態では、ダウンロードできない音データを他人の端末装置２５の位置に応じてユーザの携帯端末装置１０で再生して音出力を行うので、携帯端末装置１０のユーザは、意外な音（楽曲、効果音）を突然ＢＧＭ的に聞くことになり、ユーザを驚かせる（サプライズさせる）楽しさを第４実施形態に係るサービスは提供できる。なお、第４実施形態においても、第１実施形態から第３実施形態で説明した各種変形例（ＧＰＳ機能を用いない場合の例など）の適用が可能である。また、第４実施形態は、単独で行うこと、及び他の実施形態（第１実施形態から第３実施形態）のいずれか１つ以上と組み合わせて行うことも勿論可能である。
【図面の簡単な説明】
【０１００】
【図１】本発明の第１実施形態に係る音出力システムの構成を示す概略図である。
【図２】サーバ装置の内部構成を示すブロック図である。
【図３】携帯端末装置の内部構成を示すブロック図である。
【図４】場所データベースの内容を示す概略図である。
【図５】音データベースの内容を示す概略図である。
【図６】トップページ画面を示す概略図である。
【図７】（ａ）はコンテンツ選択画面を示す概略図、（ｂ）は確認画面を示す概略図である。
【図８】（ａ）は設定変更画面を示す概略図、（ｂ）は場所登録画面を示す概略図である。
【図９】第１実施形態に係るダウンロード処理を示す第１フローチャートである。
【図１０】第１実施形態に係る場所登録処理を示す第２フローチャートである。
【図１１】第１実施形態に係る設定変更処理を示す第３フローチャートである。
【図１２】第１実施形態に係る音出力方法の処理手順を示した第４フローチャートである。
【図１３】日用音欄を含む特定コンテンツ用音データベースの内容を示す概略図である。
【図１４】日設定画面を示す概略図である。
【図１５】第１実施形態の変形例の音出力方法に係る第５フローチャートである。
【図１６】第１実施形態の変形例に係る音出力システムの構成を示す概略図である。
【図１７】変形例の音出力システムに係る音出力方法の手順を示した第６フローチャートである。
【図１８】本発明の第２実施形態に係る音出力システムの構成を示す概略図である。
【図１９】（ａ）は他人設定画面を示す概略図、（ｂ）は他人用コンテンツ選択画面を示す概略図である。
【図２０】第２実施形態に係る特定コンテンツ用音データベースの内容を示す概略図である。
【図２１】第２実施形態に係る音出力方法の処理手順を示した第７フローチャートである。
【図２２】本発明の第３実施形態に係る特定コンテンツ用音データベースの内容を示す概略図である。
【図２３】第３実施形態に係る音出力方法の処理手順を示した第８フローチャートである。
【図２４】本発明の第４実施形態に係るオン／オフ設定画面を示す概略図である。
【図２５】第４実施形態に係る音出力方法の処理手順を示した第９フローチャートである。
【符号の説明】
【０１０１】
１  音出力システム
２Ａ、２Ｂ・・・２Ｎ  中継基地局
３  サーバ装置
５  サーバプログラム
６  場所データベース
７  音データベース
８  画面データベース
１０  携帯端末装置
１０ａ  表示パネル
１０ｂ  操作部
１８  音出力処理部
２１  処理プログラム
２２  特定コンテンツ用音データベース
２５  端末装置
Ｇ  通信衛星
ＮＷ  ネットワーク
【図１】
2007251575.tif 000003
【図２】
2007251575.tif 000004
【図３】
2007251575.tif 000005
【図４】
2007251575.tif 000006
【図５】
2007251575.tif 000007
【図６】
2007251575.tif 000008
【図７】
2007251575.tif 000009
【図８】
2007251575.tif 000010
【図９】
2007251575.tif 000011
【図１０】
2007251575.tif 000012
【図１１】
2007251575.tif 000013
【図１２】
2007251575.tif 000014
【図１３】
2007251575.tif 000015
【図１４】
2007251575.tif 000016
【図１５】
2007251575.tif 000017
【図１６】
2007251575.tif 000018
【図１７】
2007251575.tif 000019
【図１８】
2007251575.tif 000020
【図１９】
2007251575.tif 000021
【図２０】
2007251575.tif 000022
【図２１】
2007251575.tif 000023
【図２２】
2007251575.tif 000024
【図２３】
2007251575.tif 000025
【図２４】
2007251575.tif 000026
【図２５】
2007251575.tif 000027